(57)【要約】【課題】  ＰＶＣを増設したり、又は設定されているＰＶＣを解除したりするときに、送信セルの合計速度が、ＡＴＭアクセス回線契約速度を超過することによるセル廃棄を避けることを目的とする。【解決手段】  センタの内部にあるＡＴＭ装置であるセンタ側ＡＴＭ装置１０とセンタの外部にあるＡＴＭ装置である対向側ＡＴＭ装置２０とがＡＴＭネットワーク３０を介して接続されるＰＶＣを設定するＰＶＣの設定方法において、対向側ＡＴＭ装置２０は、センタ側ＡＴＭ装置１０に運用・管理／維持（ＯＡＭ）ループバック要求セルを送信し、センタ側ＡＴＭ装置１０は、ＯＡＭループバック要求セルを受信するとき、対向側ＡＴＭ装置２０にＯＡＭループバック応答セルを送信し、ＯＡＭループバック要求セル及びＯＡＭループバック応答セルが通過したＰＶＣを設定することを特徴とする。【選択図】  図１
2005229184.tif 000002
【特許請求の範囲】
【請求項１】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とがネットワークを介して接続されるＰＶＣを設定するＰＶＣの設定方法において、
前記対向側ＡＴＭ装置は、前記センタ側ＡＴＭ装置に運用・管理／維持（ＯＡＭ）要求セルを送信し、
前記センタ側ＡＴＭ装置は、前記ＯＡＭ要求セルを受信するとき、前記対向側ＡＴＭ装置にＯＡＭ応答セルを送信し、
前記ＯＡＭ要求セル及び前記ＯＡＭ応答セルが通過したＰＶＣを設定することを特徴とするＰＶＣの設定方法。
【請求項２】
前記ＯＡＭ要求セルは、ペイロードに発生点の情報を挿入できるフィールドを備えていて、
前記ＰＶＣの設定の一意のコードを割り当てておき、
前記対向側ＡＴＭ装置は、当該コードを前記フィールドに発生点情報として設定して送信することを特徴とする請求項１記載のＰＶＣの設定方法。
【請求項３】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とがネットワークを介して接続されるＰＶＣの設定を解除するＰＶＣの設定解除方法において、
前記対向側ＡＴＭ装置は、前記センタ側ＡＴＭ装置に警報通知セルを送信し、
前記センタ側ＡＴＭ装置は、前記警報通知セルを受信したら、前記対向側ＡＴＭ装置に警報応答セルを送信し、
前記警報通知セル及び前記警報応答セルが通過したＰＶＣの設定を解除することを特徴とするＰＶＣの設定解除方法。
【請求項４】
前記警報通知セルは、ペイロードに発生点の情報を挿入できるフィールドを備えていて、
前記ＰＶＣの設定解除の一意のコードを割り当てておき、
前記対向側ＡＴＭ装置は、当該コードを前記フィールドに発生点情報として設定して送信することを特徴とする請求項３記載のＰＶＣの設定解除方法。
【請求項５】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムにおいて、
前記対向側ＡＴＭ装置は、前記センタ側ＡＴＭ装置に運用・管理／維持（ＯＡＭ）要求セルを送信する手段を有し、
前記センタ側ＡＴＭ装置は、前記ＯＡＭ要求セルを受信する手段と、
前記対向側ＡＴＭ装置にＯＡＭ応答セルを送信する手段と、
ＰＶＣを設定する手段と、を備えており、かつ、
前記センタ側ＡＴＭ装置は、前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする上記ＡＴＭネットワークシステム。
【請求項６】
前記ＯＡＭ要求セルは、ペイロードには発生点の情報を挿入できるフィールドを備えていて、
前記ＰＶＣの設定の一意のコードを割り当てておき、
前記対向側ＡＴＭ装置は、当該コードを前記フィールドに発生点情報として設定して送信することを特徴とする請求項５記載の上記ＡＴＭネットワークシステム。
【請求項７】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムにおいて、
前記対向側ＡＴＭ装置は、前記センタ側ＡＴＭ装置に警報通知セルを送信する手段を有し、
前記センタ側ＡＴＭ装置は、前記警報通知セルを受信する手段と、
前記対向側ＡＴＭ装置に警報応答セルを送信する手段と、
ＰＶＣの設定を解除する手段と、を備えており、かつ、
前記センタ側ＡＴＭ装置は、前記警報通知セルを受信すると、前記対向側ＡＴＭ装置に前記警報応答セルを送信し、前記警報通知セル及び前記警報応答セルが通過したＰＶＣの設定を解除することを特徴とする上記ＡＴＭネットワークシステム。
【請求項８】
前記警報通知セルは、ペイロードには発生点の情報を挿入できるフィールドを備えていて、
前記ＰＶＣの設定解除の一意のコードを割り当てておき、
前記対向側ＡＴＭ装置は、当該コードを前記フィールドに発生点情報として設定して送信することを特徴とする請求項７記載の上記ＡＴＭネットワークシステム。
【請求項９】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該センタ側ＡＴＭ装置において、
前記対向側ＡＴＭ装置から送信された運用・管理／維持（ＯＡＭ）要求セルを受信する手段と、
前記対向側ＡＴＭ装置にＯＡＭ応答セルを送信する手段と、
ＰＶＣを設定する手段と、を備えており、かつ、
前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする上記センタ側ＡＴＭ装置。
【請求項１０】
前記ＯＡＭ要求セルは、ペイロードには発生点の情報を挿入できるフィールドを備えていて、
前記ＰＶＣの設定の一意のコードを割り当てておき、
前記対向側ＡＴＭ装置は、当該コードを前記フィールドに発生点情報として設定して送信することを特徴とする請求項９記載の上記センタ側ＡＴＭ装置。
【請求項１１】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該センタ側ＡＴＭ装置において、
前記対向側ＡＴＭ装置から送信された警報通知セルを受信する手段と、
前記対向側ＡＴＭ装置に警報応答セルを送信する手段と、
ＰＶＣの設定を解除する手段と、を備えており、かつ、
前記警報通知セルを受信すると、前記対向側ＡＴＭ装置に前記警報応答セルを送信し、前記警報通知セル及び前記警報応答セルが通過したＰＶＣの設定を解除することを特徴とする上記センタ側ＡＴＭ装置。
【請求項１２】
前記警報通知セルは、ペイロードには発生点の情報を挿入できるフィールドを備えていて、
前記ＰＶＣの設定解除の一意のコードを割り当てておき、
前記対向側ＡＴＭ装置は、当該コードを前記フィールドに発生点情報として設定して送信することを特徴とする請求項１１記載の上記センタ側ＡＴＭ装置。
【請求項１３】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該対向側ＡＴＭ装置において、
前記センタ側ＡＴＭ装置に運用・管理／維持（ＯＡＭ）要求セルを送信する手段を備えており、
前記センタ側ＡＴＭ装置は、前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする上記対向側ＡＴＭ装置。
【請求項１４】
前記ＯＡＭ要求セルは、ペイロードには発生点の情報を挿入できるフィールドを備えていて、
前記ＰＶＣの設定の一意のコードを割り当てておき、
前記対向側ＡＴＭ装置は、当該コードを前記フィールドに発生点情報として設定して送信することを特徴とする請求項１３記載の上記対向側ＡＴＭ装置。
【請求項１５】
ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該対向側ＡＴＭ装置において、
前記対向側ＡＴＭ装置は、前記センタ側ＡＴＭ装置に警報通知セルを送信する手段を備えており、
前記センタ側ＡＴＭ装置は、前記警報通知セルを受信すると、前記対向側ＡＴＭ装置に警報応答セルを送信し、前記警報通知セル及び前記警報応答セルが通過したＰＶＣの設定を解除することを特徴とする上記対向側ＡＴＭ装置。
【請求項１６】
前記警報通知セルは、ペイロードには発生点の情報を挿入できるフィールドを備えていて、
前記ＰＶＣの設定解除の一意のコードを割り当てておき、
前記対向側ＡＴＭ装置は、当該コードを前記フィールドに発生点情報として設定して送信することを特徴とする請求項１５記載の上記対向側ＡＴＭ装置。
【発明の詳細な説明】
【技術分野】
【０００１】
本発明は、ＡＴＭネットワークシステムにおける論理通信経路であるＰＶＣの設定方法、ＰＶＣの設定解除方法、ＡＴＭネットワークシステム、センタ側ＡＴＭ装置及び対向側ＡＴＭ装置に関し、特に、対向側ＡＴＭ装置から設定作業を行うＰＶＣの設定方法、ＰＶＣの設定解除方法、ＡＴＭネットワークシステム、センタ側ＡＴＭ装置及び対向側ＡＴＭ装置に関する。
【背景技術】
【０００２】
従来、ＡＴＭ（Asynchronous Transfer Mode）ネットワークでは、ＰＶＣ（Permanent Virtual Circuit）と呼ばれる論理経路を設定して通信を行っている。ＰＶＣには、ＶＰＣレベルのものとＶＣＣレベルのものが存在する。
【０００３】
ＶＰＣは、仮想パスコネクションのエンド−エンド間運用のための通信用に使用される。例えば、端末とネットワーク内で最初に仮想チャネル・コネクション（ＶＣＣ）を終端する装置との間に設定される。この場合、端末から送出されたエンド−エンドＦ４フローのＯＡＭ（Operation Administration And Maintenance）セルはすべてネットワーク内の入り口で、終端して、処理される。
【０００４】
ＶＣＣレベルは、仮想チャネル・コネクションのエンド−エンド間の運用のための通信用に使用される。ＶＣＣレベルは、端末−端末間に設定され、それぞれの端末が終端点である。したがって、ネットワーク内では終端されずに、透過的に端末に届けられる。
【特許文献１】特許第２９８００３１号
【特許文献２】特開平８−２５１１８２号公報
【特許文献３】特開平９−２３８１４６号公報
【発明の開示】
【発明が解決しようとする課題】
【０００５】
上記従来技術では、ＰＶＣ（Permanent Virtual Circuit）を段階的に追加したり削除したりし、それにともない契約速度を変更するような場合に、保守を容易にしようとして、センタ側ＡＴＭ装置に最大構成時の設定をそのまま静的に設定していると、マルチキャストパケットやブロードキャストパケットを、設定されているすべてのＰＶＣに配送するため、実際にデータ通信を行っているＰＶＣの通信を阻害してしまう。
【０００６】
これは送信セルの合計速度が、通信時でのＡＴＭアクセス回線契約速度を超過したために、ＡＴＭネットワークシステム内のＵＰＣ（Usage Pace Control）制御機構が動作するか、ＡＴＭネットワークが局部的に輻輳し、セル廃棄が発生するためである。
【０００７】
そこで、本発明は、送信セルの合計速度が、ＡＴＭアクセス回線契約速度を超過することによるセル廃棄を避けるＰＶＣの設定方法、ＰＶＣの設定解除方法、ＡＴＭネットワークシステム、センタ側ＡＴＭ装置及び対向側ＡＴＭ装置を提供することを目的とする。
【課題を解決するための手段】
【０００８】
本発明は、上記課題を解決するための手段として、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とがネットワークを介して接続されるＰＶＣを設定するＰＶＣの設定方法において、前記対向側ＡＴＭ装置は、前記センタ側ＡＴＭ装置に運用・管理／維持（ＯＡＭ）要求セルを送信し、前記センタ側ＡＴＭ装置は、前記ＯＡＭ要求セルを受信するとき、前記対向側ＡＴＭ装置にＯＡＭ応答セルを送信し、前記ＯＡＭ要求セル及び前記ＯＡＭ応答セルが通過したＰＶＣを設定することを特徴とする。
【０００９】
また、本発明は、前記ＯＡＭ要求セルは、ペイロードに発生点の情報を挿入できるフィールドを備えていて、前記ＰＶＣの設定の一意のコードを割り当てておき、前記対向側ＡＴＭ装置は、当該コードを前記フィールドに発生点情報として設定して送信することを特徴とする。
【００１０】
さらに、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とがネットワークを介して接続されるＰＶＣの設定を解除するＰＶＣの設定解除方法において、前記対向側ＡＴＭ装置は、前記センタ側ＡＴＭ装置に警報通知セルを送信し、前記センタ側ＡＴＭ装置は、前記警報通知セルを受信したら、前記対向側ＡＴＭ装置に警報応答セルを送信し、前記警報通知セル及び前記警報応答セルが通過したＰＶＣの設定を解除することを特徴とする。
【００１１】
さらにまた、本発明は、前記警報通知セルは、ペイロードに発生点の情報を挿入できるフィールドを備えていて、前記ＰＶＣの設定解除の一意のコードを割り当てておき、前記対向側ＡＴＭ装置は、当該コードを前記フィールドに発生点情報として設定して送信することを特徴とする。
【００１２】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムにおいて、前記対向側ＡＴＭ装置は、前記センタ側ＡＴＭ装置に運用・管理／維持（ＯＡＭ）要求セルを送信する手段を有し、前記センタ側ＡＴＭ装置は、前記ＯＡＭ要求セルを受信する手段と、前記対向側ＡＴＭ装置にＯＡＭ応答セルを送信する手段と、ＰＶＣを設定する手段と、を備えており、かつ、前記センタ側ＡＴＭ装置は、前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする。
【００１３】
また、本発明は、前記ＯＡＭ要求セルは、ペイロードには発生点の情報を挿入できるフィールドを備えていて、前記ＰＶＣの設定の一意のコードを割り当てておき、前記対向側ＡＴＭ装置は、当該コードを前記フィールドに発生点情報として設定して送信することを特徴とする。
【００１４】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムにおいて、前記対向側ＡＴＭ装置は、前記センタ側ＡＴＭ装置に警報通知セルを送信する手段を有し、前記センタ側ＡＴＭ装置は、前記警報通知セルを受信する手段と、前記対向側ＡＴＭ装置に警報応答セルを送信する手段と、ＰＶＣの設定を解除する手段と、を備えており、かつ、前記センタ側ＡＴＭ装置は、前記警報通知セルを受信すると、前記対向側ＡＴＭ装置に前記警報応答セルを送信し、前記警報通知セル及び前記警報応答セルが通過したＰＶＣの設定を解除することを特徴とする。
【００１５】
また、本発明は、前記警報通知セルは、ペイロードには発生点の情報を挿入できるフィールドを備えていて、前記ＰＶＣの設定解除の一意のコードを割り当てておき、前記対向側ＡＴＭ装置は、当該コードを前記フィールドに発生点情報として設定して送信することを特徴とする。
【００１６】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該センタ側ＡＴＭ装置において、前記対向側ＡＴＭ装置から送信された運用・管理／維持（ＯＡＭ）要求セルを受信する手段と、前記対向側ＡＴＭ装置にＯＡＭ応答セルを送信する手段と、ＰＶＣを設定する手段と、を備えており、かつ、前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする。
【００１７】
また、本発明は、前記ＯＡＭ要求セルは、ペイロードには発生点の情報を挿入できるフィールドを備えていて、前記ＰＶＣの設定の一意のコードを割り当てておき、前記対向側ＡＴＭ装置は、当該コードを前記フィールドに発生点情報として設定して送信することを特徴とする。
【００１８】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該センタ側ＡＴＭ装置において、前記対向側ＡＴＭ装置から送信された警報通知セルを受信する手段と、前記対向側ＡＴＭ装置に警報応答セルを送信する手段と、ＰＶＣの設定を解除する手段と、を備えており、かつ、前記警報通知セルを受信すると、前記対向側ＡＴＭ装置に前記警報応答セルを送信し、前記警報通知セル及び前記警報応答セルが通過したＰＶＣの設定を解除することを特徴とする。
【００１９】
また、本発明は、前記警報通知セルは、ペイロードには発生点の情報を挿入できるフィールドを備えていて、前記ＰＶＣの設定解除の一意のコードを割り当てておき、前記対向側ＡＴＭ装置は、当該コードを前記フィールドに発生点情報として設定して送信することを特徴とする。
【００２０】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該対向側ＡＴＭ装置において、前記センタ側ＡＴＭ装置に運用・管理／維持（ＯＡＭ）要求セルを送信する手段を備えており、前記センタ側ＡＴＭ装置は、前記ＯＡＭ要求セルを受信すると、前記対向側ＡＴＭ装置に前記ＯＡＭ応答セルを送信し、前記ＯＡＭ要求セル及び前記ＯＡＭ応答セルが通過した前記ＰＶＣを設定することを特徴とする。
【００２１】
また、本発明は、前記ＯＡＭ要求セルは、ペイロードには発生点の情報を挿入できるフィールドを備えていて、前記ＰＶＣの設定の一意のコードを割り当てておき、前記対向側ＡＴＭ装置は、当該コードを前記フィールドに発生点情報として設定して送信することを特徴とする。
【００２２】
また、本発明は、ＰＶＣの設定又は解除の少なくともいずれかをするためのセンタの内部にあるＡＴＭ装置であるセンタ側ＡＴＭ装置と当該センタの外部にあるＡＴＭ装置である対向側ＡＴＭ装置とが接続されるＡＴＭネットワークシステムの当該対向側ＡＴＭ装置において、前記対向側ＡＴＭ装置は、前記センタ側ＡＴＭ装置に警報通知セルを送信する手段を備えており、前記センタ側ＡＴＭ装置は、前記警報通知セルを受信すると、前記対向側ＡＴＭ装置に警報応答セルを送信し、前記警報通知セル及び前記警報応答セルが通過したＰＶＣの設定を解除することを特徴とする。
【００２３】
また、本発明は、前記警報通知セルは、ペイロードには発生点の情報を挿入できるフィールドを備えていて、前記ＰＶＣの設定解除の一意のコードを割り当てておき、前記対向側ＡＴＭ装置は、当該コードを前記フィールドに発生点情報として設定して送信することを特徴とする。
【発明の効果】
【００２４】
本発明によれば、ＡＴＭネットワークに実際に設定されていないＰＶＣにマルチキャストパケットやブロードキャストパケットを送信することがなくなるので、フラッディングに起因するセル廃棄による通信障害を回避できる。
【００２５】
ネットワーク設計者は、対向側ＡＴＭ装置からＰＶＣを削除したり、追加したりするので、ＰＶＣの追加や削除時に、センタ局のある施設に入場し設定する必要がないため、運用コストを削減できる。
【００２６】
ｔｅｌｎｅｔなどのリモート接続による手段を使用しないので、ネットワーク全体のセキュリティが低くならない。ＰＶＣの増減のタイミングで、装置の再起動が必要でないので、システム運用中においても自由に実施できる。ｔｅｌｎｅｔで認められていないようなネットワークで実施することができる。
【発明を実施するための最良の形態】
【００２７】
以下、本発明を実施するための最良の形態を詳細に説明する。
【００２８】
図１は、本発明の実施の形態を示すブロック図である。
【００２９】
図１に示すように、本実施の形態は、センタ側ＡＴＭ装置１０と対向側ＡＴＭ装置２０とがＡＴＭネットワーク３０を介して接続されている。
【００３０】
図２は、本実施の形態のセンタ側ＡＴＭ装置２０の構成を示すブロック図である。
【００３１】
センタ側ＡＴＭ装置１０は、フォーワーダ１１、ルーティングテーブル１２、通信状態検出手段１３、ＰＶＣ（Permanent Virtual Circuit）１４−１６及びイーサネット（登録商標）回線１７を有する。
【００３２】
フォーワーダ１１は、ルーティングテーブル１２に従い、イーサネット（登録商標）回線１７とＰＶＣ１４−１６の間、又はＰＶＣ１４−１６同士間でパケットを配送する。
【００３３】
ルーティングテーブル１２は、ユーザが入力した設定に従いパケットの配送経路を記憶する。
【００３４】
通信状態監視手段１３は、対向側ＡＴＭ装置２０から送信されるＶＣレベルのエンドツーエンドのＯＡＭループバック要求セル及びＡＩＳ（Alarm Indication Signal）セルをＰＶＣごとに監視し、ルーティングテーブル１２のエントリを追加したり、削除したりする。
【００３５】
図３は、本実施の形態のネットワーク構築をする際の計画図の一例である。
【００３６】
センタ側ＡＴＭ装置１０は３段階で３本のＰＶＣを順次増設する計画であるとし、ＡＴＭアクセス回線の契約帯域も増設の度に変更する予定である。また、顧客の都合により、センタ側ＡＴＭ装置１０が設置されている施設は、容易に入場できない施設であるとする。
【００３７】
顧客からネットワーク施設の構築の依頼を受けたネットワーク設計者は、センタ側ＡＴＭ装置１０にあらかじめ計画された最大帯域を収容可能とするような設定を実施する。以降、ネットワーク設計者はセンタ側ＡＴＭ装置１０を設置した施設に入場しない。
【００３８】
図４は、ＰＶＣを追加する時の対向側ＡＴＭ装置とセンタ側ＡＴＭ装置の動作を示すシーケンスである。
【００３９】
初期状態では、ルーティングテーブル１２の全てのＰＶＣに関連するエントリは削除されている。通信状態監視手段１３は対向側ＡＴＭ装置２０からのＶＣレベルのエンドツーエンドのＯＡＭループバック要求セルを、ＰＶＣ１４、ＰＶＣ１５、ＰＶＣ１６の順番に監視する。
【００４０】
運用状態を開始する場合に、ネットワーク設計者は対向側ＡＴＭ装置２０からＰＶＣ１４のＯＡＭループバック要求セルをセンタ側ＡＴＭ装置１０に対して送信する（ステップＳ１）。
【００４１】
ＰＶＣ１４のセンタ側ＡＴＭ装置１０はＯＡＭループバック要求セルを受信すると（ステップＳ２）、ＯＡＭループバック応答セルを対向側ＡＴＭ装置２０に返送する（ステップＳ３）。
【００４２】
対向側ＡＴＭ装置２０はＯＡＭループバック応答セルを受信する（ステップＳ４）。
【００４３】
ＰＶＣ１４のＯＡＭループバック要求セルを検出したセンタ側ＡＴＭ装置１０は、ルーティングテーブル１２にＰＶＣ１４に関連するエントリを追加する（ステップＳ５）。
【００４４】
ＰＶＣ１５とＰＶＣ１６のＯＡＭループバック要求セルは受信されないので、ルーティングテーブル１２にはＰＶＣ１４とイーサネット（登録商標）回線１７に関連する経路情報のみが存在する。
【００４５】
この状態は、イーサネット（登録商標）回線１７がマルチキャストパケットやブロードキャストパケットを受信した場合に、イーサネット（登録商標）回線１７からＰＶＣ１４のみにマルチキャストパケットが配送される。
【００４６】
このメカニズムを採用しないと、センタ側ＡＴＭ装置１０は、ＰＶＣ１５とＰＶＣ１６を増設する前の状態でも、フラッディングによりＡＴＭネットワークの導通設定が行われていないＰＶＣ１５とＰＶＣ１６にもマルチキャストパケットやブロードキャストパケットを配送してしまう。
【００４７】
この場合、送信セルの合計速度（３Ｍｂｐｓ）がＡＴＭアクセス回線契約速度（１Ｍｂｐｓ）を超過し、ＡＴＭネットワーク内のＵＰＣ制御あるいはＡＴＭネットワークの部分的な輻輳状態によりセル廃棄が発生し、イーサネット（登録商標）回線１７とＰＶＣ１４の正常な通信を妨げてしまう。
【００４８】
この障害を回避する方法として、ネットワーク設計者が、センタ側ＡＴＭ装置１０が配置されている施設に入場し、未使用のＰＶＣをディアクティブ状態に設定するという単純な方法がある。しかし、この場合は、センタ側ＡＴＭ装置１０が配置されている施設への煩雑な入場手続きや施設までの運賃、再設定完了までに必要な時間等の貴重なコストが発生する。
【００４９】
ｔｅｌｎｅｔなどのリモート制御で設定を行う方法もあるが、セキュリティの面から通常はｔｅｌｎｅｔ等のリモート制御は不可であるように設定しておくため、この場合にはマルチキャストのフラッディングに起因するセル廃棄を回避できない。
【００５０】
ＰＶＣ１５が増設された後、ＡＴＭアクセス回線速度が２Ｍｂｐｓになった場合には、ＰＶＣ１５の対向側ＡＴＭ装置２０からセンタ側ＡＴＭ装置１０に向けてＯＡＭループバック要求セルを送信することで、ステップＳ１−５と同じ動作が行われ、ＰＶＣ１５のエンドツーエンドの導通が確認される。
【００５１】
この時点で、ルーティングテーブル１２にＰＶＣ１５に関連するエントリが追加される。マルチキャストパケットやブロードキャストパケットの配信の際においても合計の送信セル（２Ｍｂｐｓ）の合計速度はＡＴＭのアクセス回線契約帯域（２Ｍｂｐｓ）を超過することなく、セル廃棄の危険性はない。
【００５２】
最後に、ＰＶＣ１５が増設された後、ＡＴＭアクセス回線契約速度が３Ｍｂｐｓになった場合にも、ＰＶＣ１５の対向側ＡＴＭ装置２０からセンタ側ＡＴＭ装置１０に向けてＯＡＭループバック要求セルを送信することで、ステップＳ１−５の動作が同様に行われる。
【００５３】
以上の方法によれば、ネットワーク設計者は、増設予定のあるネットワークの最終形態に至るまで、センタ側ＡＴＭ装置１０においては、マルチキャストパケットやブロードキャストパケットの受信によるセル廃棄を憂慮しなくてもよい。センタ側ＡＴＭ装置１０が設置されている施設には入場せずに、対向側ＡＴＭ装置２０からの制御だけでネットワークの運用開始が可能となる。
【００５４】
ルーティングテーブル１２は、ルータのルーティングテーブル１２そのものを示しているものではなく、ブリッジにおけるＭＡＣ（Media Access Control）アドレスとインターフェイスを対応づけたブリッジテーブルや、コンバータにおける入力インターフェイスと出力インターフェイスを対応付けた配送テーブルにも拡張できるので、ＡＴＭ装置の動作モードに依存しない。
【００５５】
センタ側ＡＴＭ装置１０のＰＶＣ設定が追加されたことは、ｐｉｎｇなどのＩＰレベルの応答要求パケットを対向側ＡＴＭ装置２０からセンタ側ＡＴＭ装置１０に対し送信し、センタ側ＡＴＭ装置１０からの応答パケットを対向側ＡＴＭ装置２０が受信できることで確認する。
【００５６】
本実施の形態では、未使用のＰＶＣが開通したことを識別するために、センタ側ＡＴＭ装置１０から対向側ＡＴＭ装置２０に対しセルをまったく送信していない。
【００５７】
したがって、使用ＰＶＣにおけるセル廃棄の可能性をまったくないものとできる。たとえば、センタ側ＡＴＭ装置１０からＯＡＭループバック要求セルを送信しＯＡＭループバック要求セルを受信するなどとしてＰＶＣの疎通を認識するような手段の場合は、ＰＶＣ１５及びＰＶＣ１６のＯＡＭループバック要求セルの送信タイミングとＰＶＣ１４の通常のパケットを送信するタイミングが合致する可能性がある。
【００５８】
このような場合、送信セルの合計速度がＡＴＭアクセス回線契約速度を一瞬超過し、厳密にはＡＴＭネットワーク内部でのセル廃棄を否定できない。
【００５９】
図５は、ＰＶＣを削除する時の対向側ＡＴＭ装置とセンタ側ＡＴＭ装置の動作を示すシーケンスである。
【００６０】
初期状態では、ＰＶＣ１４、ＰＶＣ１５及びＰＶＣ１６のルーティングテーブルが存在している。通信状態監視手段１３は、対向側ＡＴＭ装置２０からのＶＣレベルのエンドツーエンドのＡＩＳセルを、ＰＶＣ１４、ＰＶＣ１５、ＰＶＣ１６の順番に監視する。
【００６１】
ＰＶＣ１６を削除する場合に、ネットワーク設計者は対向側ＡＴＭ装置２０からＡＩＳ要求セルをセンタ側ＡＴＭ装置１０に対して送信する（ステップＳ１１）。
【００６２】
ＰＶＣ１６のセンタ側ＡＴＭ装置１０はＡＩＳ要求セルを受信すると（ステップＳ１２）、ＡＩＳ応答セルを対向側ＡＴＭ装置２０に返送する（ステップＳ１３）。
【００６３】
対向側ＡＴＭ装置２０はＡＩＳ応答セルを受信する（ステップＳ１４）。
【００６４】
ＰＶＣ１６のＡＩＳ要求セルを検出したセンタ側ＡＴＭ装置１０は、ルーティングテーブル１２からＰＶＣ１６に関連するエントリを削除する（ステップＳ１５）。  
【００６５】
ＰＶＣ１４とＰＶＣ１５のＯＡＭループバック要求セルは受信されないので、ルーティングテーブル１２にはＰＶＣ１４及びＰＶＣ１５とイーサネット（登録商標）回線１７に関連する経路情報のみが存在する。
【００６６】
この状態は、イーサネット（登録商標）回線１７がマルチキャストパケットやブロードキャストパケットを受信した場合に、イーサネット（登録商標）回線１７からＰＶＣ１４及びＰＶＣ１５のみにマルチキャストパケットが配送される。
【００６７】
このメカニズムを採用しない場合には、センタ側ＡＴＭ装置１０は、ＰＶＣ１６を削除した後の状態でも、フラッディングによりＡＴＭネットワークの導通設定が行われてないＰＶＣ１６にもマルチキャストパケットやブロードキャストパケットを配送してしまう。
【００６８】
この場合、送信セルの合計速度（３Ｍｂｐｓ）がＡＴＭアクセス回線契約速度（２Ｍｂｐｓ）を超過し、ＡＴＭネットワーク内のＵＰＣ制御あるいはＡＴＭネットワークの部分的な輻輳状態によりセル廃棄が発生し、イーサネット（登録商標）回線１７とＰＶＣ１４とＰＶＣ１５の正常な通信を妨げてしまう。
【００６９】
この障害を回避する方法として、ネットワーク設計者がセンタ側ＡＴＭ装置１０の配置されている施設に入場し、未使用のＰＶＣをディアクティブ状態に設定するという単純な方法がある。しかしながら、この場合は、センタ側ＡＴＭ装置１０の配置されている施設への煩雑な入場手続きや施設までの運賃、再設定完了までの必要な時間などの貴重なコストが発生する。
【００７０】
Ｔｅｌｎｅｔ等のリモート制御で設定を行う方法もあるが、セキュリティの面から通常はｔｅｌｎｅｔ等のリモート制御は不可であるように設定しておくため、この場合にはマルチキャストのフラッディングに起因するセル廃棄を回避できない。
【００７１】
ＰＶＣ１５が削除される場合、ＡＴＭアクセス回線速度が１Ｍｂｐｓになる前に、ＰＶＣ１５の対向側ＡＴＭ装置２０からセンタ側ＡＴＭ装置１０に向けてＡＩＳセルを送信することで、ステップＳ１−５と同じ動作が行われ、ＰＶＣ１５のエンドツーエンドの導通がなくなる。
【００７２】
この時点で、ルーティングテーブル１２にＰＶＣ１５に関連するエントリが削除される。マルチキャストパケットやブロードキャストパケットの配信の際においても合計の送信セル（１Ｍｂｐｓ）の合計速度はＡＴＭのアクセス回線契約帯域（１Ｍｂｐｓ）を超過することはなく、セル廃棄の危険性はない。
【００７３】
以上の方法によれば、ネットワーク設計者は、削除予定のあるネットワークの最終形態に至るまで、センタ側ＡＴＭ装置１０においてマルチキャストパケットやブロードキャストパケットの受信によるセル廃棄を憂慮しなくてもよい。センタ側ＡＴＭ装置１０が設置されている施設には入場せずに、対向側ＡＴＭ装置２０からの制御だけでネットワークの運用開始が可能となる。
【００７４】
ルーティングテーブル１２は、ルータのルーティングテーブルそのものを示しているものではなく、ブリッジにおけるＭＡＣアドレスとインターフェイスを対応付けたブリッジテーブルや、コンバータにおける入力インターフェイスと出力インターフェイスを対応付けた配送テーブルにも拡張できるので、ＡＴＭ装置の動作モードにも依存しない。
【００７５】
センタ側ＡＴＭ装置１０のＰＶＣ設定が削除されたことは、ｐｉｎｇ等のＩＰレベルの応答要求パケットを対向側ＡＴＭ装置２０からセンタ側ＡＴＭ装置１０に対し送信し、センタ側ＡＴＭ装置１０からの応答パケットを対向側ＡＴＭ装置２０が受信できないことで確認する。
【００７６】
本実施の形態では、未使用ＰＶＣが削除することに通知するために、センタ側ＡＴＭ装置１０から対向側ＡＴＭ装置２０に対しセルをまったく送信していない。したがって、使用ＰＶＣにおけるセル廃棄の可能性をまったくできないものとできる。たとえば、センタ側ＡＴＭ装置１０でＡＩＳセルを送信するなどとしてＰＶＣの削除を通知するような手段の場合は、ＰＶＣ１５やＰＶＣ１６のＡＩＳセルの送信タイミングとＰＶＣ１４の通常のパケットを送信するタイミングが合致する可能性がある。このような場合は、送信セルの合計速度がＡＴＭアクセス回線契約速度を一瞬超過し、厳密にはＡＴＭネットワーク内部でのセル廃棄を否定できない。
【００７７】
以下、本発明の他の実施の形態について説明する。
【００７８】
通信状態監視手段１３が、ＰＶＣの追加時にＯＡＭループバック要求セルを対向側ＡＴＭ装置２０からセンタ側ＡＴＭ装置１０に送信する方法と、ＰＶＣの削除時にＡＩＳセルを対向側ＡＴＭ装置２０からセンタ側ＡＴＭ装置１０に送信する方法に対して、以下の別の方法が考えられる。
【００７９】
センタ側ＡＴＭ装置１０はルーティングテーブル１２に従いパケットをＰＶＣに配送する。センタ側ＡＴＭ装置１０の通信状態監視手段１３は、通常パケットのＰＶＣに対する応答状態を監視して、一定時間になにもパケットを受信しない場合にルーティングテーブル１２のＰＶＣに関連するエントリを削除する。一定時間のうちにパケットを受信した場合には、ルーティングテーブル１２にＰＶＣの関連するエントリを追加する。
【００８０】
対向側ＡＴＭ装置２０から送信するＯＡＭループバック要求セルのペイロードには発生点の情報を挿入できるフィールドが用意されているので、ＯＡＭループバック要求セルを送信する対向側ＡＴＭ装置２０はセンタ側ＡＴＭ装置１０との間でＰＶＣの追加と削除の一意のコードを割り当てておき、このコードをフィールドに発生点情報として設定して送信する。
【００８１】
ＯＡＭループバック要求セルを受信したセンタ側ＡＴＭ装置１０は、ＯＡＭループバック要求セルのペイロード情報をコピーしたＯＡＭループバック応答セルを生成して、これを折り返す。
【００８２】
センタ側ＡＴＭ装置１０は、受信したＯＡＭループバック要求セルのペイロードが一意のコードであることを識別し、ＰＶＣの追加と、ＰＶＣの削除を認識する。
【００８３】
対向側ＡＴＭ装置２０からＯＡＭループバック要求セルの代わりに、ＶＣ−ＡＩＳセルを送信する方法も考えられる。通常ＶＣ−ＡＩＳはＡＴＭネットワーク内の通信路障害をＡＴＭ装置に通知する手段に使用されＰＶＣの最終端に接続されるＡＴＭ装置から送信されることはない。
【００８４】
しかし、一般的なＡＴＭネットワークシステムの実装としてＡＴＭ装置がＶＣ−ＡＩＳを送信すれば、そのＶＣ−ＡＩＳは対向側ＡＴＭ装置２０まで到達する。ＶＣ−ＡＩＳのペイロードには発生点の情報を挿入できるフィールドが用意されているので、ＶＣ−ＡＩＳを送信する対向側ＡＴＭ装置２０はセンタ側ＡＴＭ装置１０との間でＰＶＣの追加と削除の一意のコードを割り当てておき、このコードをフィールドに発生点情報として設定して送信する。
【００８５】
ＶＣ−ＡＩＳを受信したセンタ側ＡＴＭ装置１０は、ＶＣ−ＡＩＳのペイロード情報をコピーしたＶＣ−ＲＤＩ（Remote Defect  Indication）を生成して、これを折り返す。センタ側ＡＴＭ装置１０は、受信したＶＣ−ＡＩＳのペイロードが一意のコードであることを識別し、ＰＶＣの追加とＰＶＣの削除を認識する。
【図面の簡単な説明】
【００８６】
【図１】本発明の実施の形態を示すブロック図である。
【図２】本実施の形態のセンタ側ＡＴＭ装置２０の構成を示すブロック図である。
【図３】本実施の形態のネットワーク構築をする際の計画図の一例である。
【図４】ＰＶＣを追加する時の対向側ＡＴＭ装置とセンタ側ＡＴＭ装置の動作を示すシーケンスである。
【図５】ＰＶＣを削除する時の対向側ＡＴＭ装置とセンタ側ＡＴＭ装置の動作を示すシーケンスである。
【符号の説明】
【００８７】
１０  センタ側ＡＴＭ装置
２０  対向側ＡＴＭ装置
３０  ＡＴＭネットワーク
１１  フォーワーダ
１２  ルーティングテーブル
１３  通信状態監視手段
１４  ＰＶＣ
１５  ＰＶＣ
１６  ＰＶＣ
１７  イーサネット（登録商標）回線
【図１】
2005229184.tif 000003
【図２】
2005229184.tif 000004
【図３】
2005229184.tif 000005
【図４】
2005229184.tif 000006
【図５】
2005229184.tif 000007